(57)【要約】      （修正有）【課題】運転者の習慣又は好みに応じて使用する飲料容器又は灰皿を、運転席から運転者の手が容易に届くような位置に少なくとも２箇所設けられた収納部に収容することによって、作業中、運転席のシートから離れずに灰皿又は飲料容器を使い勝ってよく使用することが可能な収納部が備えられた建設装備の運転席を提供する。【解決手段】建設装備の運転席１２において、運転席周りの少なくとも二箇所に備えられ、且つ、飲料容器１７と灰皿１１のうちの何れか一つを選択的に収容し得る所定形状の収納部１８と、前記収納部のうちの飲料容器１７により選ばれなかった他の収納部に引出可能に収容される灰皿１１とを含める。【選択図】図２
2008018935.tif 000002
【特許請求の範囲】
【請求項１】
建設装備の運転席において、
運転席周りの少なくとも二箇所に備えられ、且つ、飲料容器と灰皿のうちの何れか一つを選択的に収容し得る所定形状の収納部と、
前記収納部のうちの飲料容器により選ばれなかった他の収納部に引出可能に収容される灰皿とを含めることを特徴とする収納部が備えられた建設装備の運転席。
【請求項２】
前記収納部に内設され、前記収納部が互換性を持つように選択的に収容される灰皿又は飲料容器を支持するホルダーをさらに含めることを特徴とする請求項１に記載の収納部が備えられた建設装備の運転席。
【請求項３】
前記ホルダー内側面に突出形成され、ホルダーと灰皿との直径差、又はホルダーと飲料容器との直径差により、灰皿又は飲料容器が振動されることを防ぐための軟性のリブをさらに含めることを特徴とする請求項２に記載の収納部が備えられた建設装備の運転席。
【請求項４】
前記ホルダーは、ゴム材からなることを特徴とする請求項２又は３に記載の収納部が備えられた建設装備の運転席。
【請求項５】
前記収納部のうち何れか一つは、運転席のコンソールボックスに形成されることを特徴とする請求項１に記載の収納部が備えられた建設装備の運転席。
【請求項６】
前記収納部のうちの何れか一つは、運転席の側面パネルに形成されることを特徴とする請求項１に記載の収納部が備えられた建設装備の運転席。
【請求項７】
前記収納部のうちの何れか一つは、運転席のコンソールボックスに形成され、且つ、前記収納部のうちの他の一つは、運転席の側面パネルに形成されることを特徴とする請求項１に記載の収納部が備えられた建設装備の運転席。
【請求項８】
前記収納部は、運転席の左・右側にそれぞれ形成されるか、又は前記収納部は運転席の左側と右側のうちの何れか一側に形成されることを特徴とする請求項１に記載の収納部が備えられた建設装備の運転席。
【請求項９】
前記収納部は、運転席から運転者の手が届くような半径内に設けられることを特徴とする請求項１、２、５、６、７、８の何れかに記載の収納部が備えられた建設装備の運転席。
【発明の詳細な説明】
【技術分野】
【０００１】
本発明は、運転席周りに設けられる収納部に飲料容器又は灰皿を選択的に取り換え可能に収容し得る収納部が備えられた建設装備運転席に関するものである。
【０００２】
さらに詳しくは、運転者の習慣又は好みに応じて選択的に用いる飲料容器又は灰皿を運転席より運転者の手が届くような位置に少なくとも２箇所形成された収納部に取り換え可能に収容することによって、作業中、運転席のシートから離れることなく、灰皿又は飲料容器を手軽く使用し得るようにした収納部が備えられた建設装備の運転席に関する。
【背景技術】
【０００３】
図１は、従来技術による運転席の前方にカップホルダー及び灰皿の装着状態を示す斜視図である。
【０００４】
図示の如く、建設装備用運転室の設計時、運転席５の側面のコンソールボックス１前面に灰皿２が開閉可能に設けられ、運転室の側面パネル３に飲料容器(例えば、飲料缶、水カップ、飲料瓶など)を収納することが可能なカップホルダー４が設けられている。
【０００５】
従来のように、カップホルダー４と灰皿２とが所定位置に固定式に取付けられることにより、運転者の好みや習慣に対応しにくく、使い勝手が悪かった。つまり、運転者が喫煙者である場合には、作業途中に運転席のシートから離れずに、灰皿２を容易に使用し得るようになすべく、カップホルダー４よりは頻繁に利用される灰皿２が運転者の手に容易に届くようなところに設けなければならなかった。
【０００６】
反面に、運転者が非喫煙者である場合には、作業中、灰皿２が不必要となり、運転席５から離れることなくカップホルダー４に収納される飲料容器を容易に使用すべく、灰皿２よりは相対的に多く利用するカップホルダー４が身近いところに配設されなければならなかった。
【０００７】
したがって、カップホルダー４と灰皿２とが分離されて互いに異なる位置に設けられるため、運転室レイアウト設計及び装備生産の際、当該部品点数の増加によりコスト上昇につながるという問題点を奏する。
【発明の開示】
【発明が解決しようとする課題】
【０００８】
本発明の一実施例は、運転者の習慣又は好みに応じて使用する飲料容器又は灰皿を、運転席から運転者の手が容易に届くような位置に少なくとも２箇所設けられた収納部に収容することによって、作業中、運転席から離れずに灰皿又は飲料容器を使い勝ってよく使用することが可能となるようにした収納部が備えられた建設装備の運転席に関連する。
【０００９】
また、本発明の一実施例は、長時間の作業の場合、運転席から離れず、居心地の良い姿勢で喫煙したり、飲んだりすることができるから、作業性を向上させることができ、且つ、運転者の様々な好みを満足させることによって、運転室を休憩室の概念で活用することができるようにした収納部が備えられた建設装備の運転席に関連する。
【課題を解決するための手段】
【００１０】
本発明の一実施例は、建設装備の運転席において、運転席周りの少なくとも二箇所に備えられ、且つ、飲料容器と灰皿のうちの何れか一つを選択的に収容し得る所定形状の収納部と、前記収納部のうちの飲料容器により選ばれなかった他の収納部に引出可能に収容される灰皿とを含める。
【００１１】
この際、前述した収納部に内設され、収納部が互換性を持つように選択的に収容される灰皿又は飲料容器を支持するホルダーをさらに含める。
【００１２】
前記ホルダー内側面に突出形成され、ホルダーと灰皿との直径差、又はホルダーと飲料容器との直径差により、灰皿又は飲料容器が振動されることを防止するための軟性のリブをさらに含める。
【００１３】
前記ホルダーは、ゴム材からなる。
【００１４】
前記収納部のうちの何れか一つは、運転席のコンソールボックスに形成される。
【００１５】
前記収納部のうちの何れか一つは、運転席の側面パネルに形成される。
【００１６】
前記収納部のうちの何れか一つは、運転席のコンソールボックスに形成され、且つ、他の一つは、運転席の側面パネルに形成される。
【００１７】
前述した収納部は、運転席の左・右側にそれぞれ形成されるか、又は収納部は運転席の左側と右側のうちの何れか一側に形成される。
【００１８】
前記収納部は、運転席から運転者の手が届くような半径内に設けられる。
【発明の効果】
【００１９】
以上で詳述したように、本発明の一実施例による収納部が備えられた建設装備の運転席は、下記のような効果を奏する。
運転者の様々な習慣又は好みに応じて選択的に使用する飲料容器又は灰皿が取り換え可能に収容されるための収納部を運転席から手の届くような位置に設けることによって、作業途中に運転者が運転席のシートから離れることなく、灰皿又は飲料容器を使用することができる。
【００２０】
また、長時間作業を行う場合、運転席のシートから離れずに居心地の良い姿勢で喫煙したり、飲み物を飲んだりすることが可能となることから、作業性を向上させることができ、且つ、運転室レイアウトを自由に設計し得ることによって、コスト競争力を期待することが可能となる。 
【発明を実施するための最良の形態】
【００２１】
以下、本発明の望ましい実施例を添付図面に基づいて詳しく説明するが、これは本発明の属する技術分野で通常の知識を有する者が発明を容易に実施し得る程度に詳しく説明するためのものであって、これにより本発明の技術的な思想及び範疇に限られるものではない。
【００２２】
図２ないし図６、図９に示されたように、本発明の一実施例による収納部が備えられた建設装備の運転席は、運転席１２の周りの少なくとも二箇所に備えられ、飲料容器１７(例えば、飲料缶、水カップ、飲料瓶などをいう)と、灰皿１１のうちの何れか一つを選択的に収容することができる所定形状の収納部１８と、収納部１８のうちの飲料容器１７により選択されなかった他の収納部に引出可能に収められる灰皿１１とを含める。
【００２３】
この際、前述した灰皿１１は、蓋１０が上部に開閉可能に組み合わされ、円筒形状からなっている。
【００２４】
前述した収納部１８のうちの何れか一つは運転席１２のコンソールボックス１３に形成されており、他の一つは、運転席１２の側面パネル１５の内側面に設けられる。
【００２５】
前述した収納部１８は、運転席１２の左右側にそれぞれ形成される。もしくは、運転席１２の左側と右側のうちの何れか一側に設けられる。
【００２６】
前述した収納部１８に内設され、収納部１８が互換性を持つように選択的に収容される灰皿１１又は飲料容器１７を支持するゴム材のホルダー１９をさらに含める。
【００２７】
前述したホルダー１９の内側面に突出形成され、ホルダー１９と灰皿１１との直径差、又はホルダー１９と飲料容器１７との直径差により、灰皿１６又は飲料容器１７が振動することを防止する軟性のリブ２０をさらに含める。
【００２８】
前述した収納部１８は、運転席１２から運転者の手が届くような半径内に設けられる。
【００２９】
次いで、本発明の一実施例による収納部が備えられた建設装備の運転席の使用例を添付図面に基づいて詳しく説明する。
【００３０】
図５に示されたように、運転者が非喫煙者或いは喫煙者である場合に、前述したコンソールボックス１３前方の形成の収納部１８に飲料容器１７(例えば、水カップなど)を収容して用いる。この際、収納部１８は、運転席１２から手が届くような半径内に設けられることによって、作業中、運転者が体を屈めずに腕を伸ばすだけで収納部１８に収納されている水カップを容易に使用することができる。
【００３１】
建設装備は、装備の特性上、直射光線にさらされる室外の作業現場で主に作業が行われるうえで長時間運転することが多いため、運転中に運転席１２から離れずに水カップを用いて飲むことができることから、運転者の便宜が図れる。また、作業を中断せずに連続操作を行うことができるから、作業能率を向上させることができる。
【００３２】
図２、図６及び図９に示されたように、運転者が喫煙者である場合には、コンソールボックス１３の前方に形成の収納部１８に円筒形状からなる灰皿１１を収容して用いる。即ち、運転者は、作業中、飲料容器１７よりは灰皿１１を相対的に頻繁に利用するはずだから、運転席１２から運転者の手が届くような半径内に形成された収納部１８には灰皿１１を収容して用いることができる。この際、運転席１２の側面パネル１５に形成の収納部１８には飲料容器１７を収容して用いることができる。
【００３３】
図２、図３、図４及び図６に示されたように、前述した灰皿１１又は飲料容器１７が選択的に収容される収納部１８は互換性を持つ。即ち、ホルダー１９と円筒形の灰皿１１、又はホルダー１９と飲料容器１７に直径差が生じる場合でも、収納部に内設されているゴム材のホルダー１９により収納部１８に灰皿１１又は飲料容器１７を選択的に収容することが可能となる。
【００３４】
また、ホルダー１９の内側面に突出形成されたフレキシブルなリブ２０により灰皿１１又は飲料容器１７の外側面が覆われることで支えられる。これにより、ホルダー１９と灰皿１１との直径差、又はホルダー１９と飲料容器１７との直径差が生じる場合でも、収納部１８内で灰皿１１又は飲料容器１７の振動が防止できる。
【００３５】
図７に示されたように、運転者が喫煙者又は非喫煙者である場合、運転者１２の側面パネル１５の内側面に設けられた収納部１８に飲料容器１７(例えば、水カップを用いる)を収納して使用することができる。この際、収納部１８は、運転席１２から運転者の手が届くような半径内の側面パネルに設けられることによって、作業中、運転者が体を屈めずに腕を伸ばすだけで収納部１８に収められている水カップを容易に使用することができる。
【００３６】
図８に示されたように、運転者が非喫煙者又は喫煙者である場合に、コンソールボックス１３の前方に形成の収納部１８に飲料容器１７(例えば、飲料缶を用いる)を収容し、側面パネル１５に形成の収納部１８には飲料容器１７(例えば、水ボトルを用いる)を収容して用いることができる。
【００３７】
即ち、運転席１２から運転者の手が届くような半径内に収納部１８が複数箇所設けられることによって、作業中、運転席１２から運転者が体を屈めずに腕を伸ばすだけで収納部１８に収めされている飲料缶又は水ボトルを手軽く使用することが可能となる。
【００３８】
前述したように、運転席１２から運転者の手が届くような半径内に複数箇所備えられた収納部１８に飲料容器１７又は灰皿１１を選択的に収容して用いることができる。これにより、運転者の習慣又は好みに応じて、作業中、運転席から離れずに収納部１８に保管されている灰皿１１を使用するか、又は収納部１８に保管されている飲料容器１７を使用することができる。
【００３９】
一方、本発明の一実施例による収納部は、建設装備の運転席周りに設けられたコンソールボックス又は側面パネルに備えられることを一例として詳述したが、車両の運転席から運転者の手が届くような半径内に収納部(添付図面には示されていない)を設け、運転者の好み又は習慣に従って飲料容器又は灰皿を収納部に選択的に収容して使用することができるのは、もちろんのことである。
【図面の簡単な説明】
【００４０】
【図１】従来技術による運転席前方にカップホルダー及び灰皿の装着を示す斜視図である。
【図２】本発明の一実施例による収納部が備えられた建設装備運転席の概略図である。
【図３】本発明の一実施例による建設装備運転席のコンソールボックスに形成の収納部に組み合わされたホルダーの要部抜粋図である。
【図４】図３に図示の収納部の断面図である。
【図５】本発明の一実施例による建設装備運転席のコンソールボックスに形成の収納部に水カップが保管される使用状態図である。
【図６】本発明の一実施例による建設装備運転席のコンソールボックスに形成の収納部に灰皿が保管される使用状態図である。
【図７】本発明の他の実施例による建設装備運転席の側面パネルに形成の 収納部に水カップが保管される使用状態図である。
【図８】本発明のさらに他の実施例による建設装備運転席のコンソールボックスに形成の収納部に飲料缶が保管され、且つ、側面パネルに形成の収納部に水ボトルが保管されている使用状態図である。
【図９】本発明の一実施例による収納部に保管される灰皿の概略図である。
【符号の説明】
【００４１】
１０  蓋
１１  灰皿 
１２  運転席
１３  コンソールボックス
１４  運転室
１５  側面パネル
１７  飲料容器
１８  収納部
１９  ホルダー
２０  リブ
【図１】
2008018935.tif 000003
【図２】
2008018935.tif 000004
【図３】
2008018935.tif 000005
【図４】
2008018935.tif 000006
【図５】
2008018935.tif 000007
【図６】
2008018935.tif 000008
【図７】
2008018935.tif 000009
【図８】
2008018935.tif 000010
【図９】
2008018935.tif 000011